(57)【要約】   【課題】  銅製のゴミ受けカゴの抗菌機能を長持ちさせることができる流しの排水機構を提供すること。  【解決手段】  流し１の排水口１ａに設置されている金属製のゴミ受けカゴ３に薬剤２４を収容する複数の収容部２５，４４を備えたリング体２６，４３を保持させるとともに、薬剤２４には少なくとも前記金属のさびが発生するのを防止する成分を含ませている。【選択図】      図１
2006132305.tif 000002
【特許請求の範囲】
【請求項１】
流しの排水口に設置されている金属製のゴミ受けカゴに薬剤を収容する複数の収容部を備えたリング体を保持させるとともに、薬剤には少なくとも前記金属のさびが発生するのを防止する成分を含ませてあることを特徴とする流しの排水機構。
【請求項２】
金属は銅であり、リング体の収容部に収容される薬剤には銅のさびが発生するのを防止する成分を含ませてある請求項１に記載の流しの排水機構。
【請求項３】
リング体の収容部は、当該収容部内に流入する排水の流入孔を、当該収容部内から流出する薬剤の溶解液の流出孔よりも低い位置に有する請求項１または請求項２に記載の流しの排水機構。
【請求項４】
リング体の収容部に設けた流出孔はリング体の外側に向くよう形成されるとともに、リング体の収容部に設けた流入孔はリング体の内側に向くよう形成されており、さらに、リング体がゴミ受けカゴに保持されている状態において流出孔から流出する薬剤の溶解液をゴミ受けカゴの胴表面に案内する案内片を、前記流出孔の直下に設けてある請求項１〜請求項３のいずれかに記載の流しの排水機構。
【請求項５】
リング体は上リング部材と下リング部材の二つの部材を接合することにより形成されている請求項１〜請求項４のいずれかに記載の流しの排水機構。
【請求項６】
リング体は一つの部材で形成されている請求項１〜請求項４のいずれかに記載の流しの排水機構。
【発明の詳細な説明】
【技術分野】
【０００１】
この発明は、流しの排水機構に関するものである。
【背景技術】
【０００２】
図１０、図１１に示すように、流し７０の排水口７０ａには、例えば、下流側が排水パイプに接続するよう取り付けられたトラップ付ゴミ受けカゴ収容容器７１と、この収容容器７１に着脱自在に収容されるゴミ受けカゴ７２と、このゴミ受けカゴ７２を覆うよう、前記収容容器７１の上部にはめ込まれて使用される菊割れフタ７３とが備わっている。菊割れフタ７３は、底部に複数の菊割れ舌片７４を有し、例えば底部の中心部分に小さな排水用丸孔７５を有するとともに、ゴミ受けカゴ７２に連通する複数の小さな排水用長孔７６を有して前記カゴ７２内に溜まるゴミが見え難い形状をしている。
【０００３】
ところで、菊割れフタに対し着脱自在に設置されるヌメリ除去部材として、下記特許文献１に示すものがある。このヌメリ除去部材は、ヌメリ除去剤と、このヌメリ除去剤を収容する複数の収容部を有する弾性変形可能なリング体とを備えており、また、前記収容部は、ヌメリ除去剤の溶解を安定させるために当該収容部内に流入する排水の流入孔を、当該収容部内から流出する溶解液が流出孔よりも低い位置に有するよう構成されており、それによって、菊割れフタとゴミ受けカゴのヌメリを効果的に除去するものである。
【特許文献１】特許第３５２００７３号公報
【発明の開示】
【発明が解決しようとする課題】
【０００４】
しかし、抗菌機能を持たせるために銅製のゴミ受けカゴを用いた場合、合成樹脂製のものとは異なり、長く使っていると抗菌機能を低下させる銅のさびが発生することから、その対策が望まれていた。
【０００５】
この発明は、上述の事柄に留意してなされたもので、その目的は、銅製のゴミ受けカゴの抗菌機能を長持ちさせることができる流しの排水機構を提供することである。
【課題を解決するための手段】
【０００６】
上記目的を達成するために、この発明の流しの排水機構は、流しの排水口に設置されている金属製のゴミ受けカゴに薬剤を収容する複数の収容部を備えたリング体を保持させるとともに、薬剤には少なくとも前記金属のさびが発生するのを防止する成分を含ませてあることを特徴とする。
【発明の効果】
【０００７】
この発明では、流しの排水口に設置されている金属製のゴミ受けカゴに薬剤を収容する複数の収容部を備えたリング体を保持させるとともに、薬剤には少なくとも前記金属のさびが発生するのを防止する成分を含ませてあるので、長く使っていてもゴミ受けカゴの抗菌機能を維持することができる。
【発明を実施するための最良の形態】
【０００８】
以下、この発明の実施の形態を、図を参照しながら説明する。なお、それによってこの発明は限定されるものではない。
【０００９】
図１〜図５は、この発明の第１の実施の形態を示す。
【００１０】
図１〜図５において、流し１の排水口１ａには、下流側が排水パイプ（図示せず）に接続するよう取り付けられた、ほぼ筒状のゴミ受けカゴ収容容器２と、この収容容器２内の上部の空間Ｓに着脱自在に収容される、有底でほぼ筒状のゴミ受けカゴ３と、このゴミ受けカゴ３を覆うよう、前記収容容器２の上方開口２ａにはめ込まれて使用されるゴム製の菊割れフタ４とが備わっている。ゴミ受けカゴ収容容器２の下部はトラップＴに形成されている。前記菊割れフタ４は従来から用いている菊割れフタ７３と何ら変わりはない。また、前記収容容器２は公知のものが使用されている。前記収容容器２は、上方開口２ａを形成する環状の上端周面部５に設けた外向きフランジ６が排水口１ａの上端内周面部ｍ上に保持されることで排水口１ａに設置されている。菊割れフタ４は底部に複数の菊割れ舌片７を有し、例えば底部の中心部分に小さな排水用丸孔８を有するとともに、ゴミ受けカゴ３に連通する複数の小さな排水用長孔９を有して前記カゴ３内に溜まるゴミが見え難い形状をしている。１０は菊割れフタ４の上方開口４ａを形成する環状枠部、１１は環状枠部１０の内周面、１２は環状枠部１０の外周面である。そして、外周面１２と上端周面部５の内周面１３とが当接する形で菊割れフタ４が前記収容容器２の上方開口２ａにはめ込まれる。
【００１１】
前記ゴミ受けカゴ３は銅製である。また、このゴミ受けカゴ３は、平面視円形でメッシュ状の底部１４と、筒状でメッシュ状の胴部本体１５と、胴部本体１５から上方に連設された環状の上端周面部１６とで主として構成されている。１６ａはゴミ受けカゴ３の上方開口で、前記上端周面部１６によって形成されている。また、上端周面部１６には外向きフランジ１７が設けられており、この外向きフランジ１７がゴミ受けカゴ収容容器２の上端周面部５の下部内周面に設けた段差面１８上に当接状態で保持されることによって前記収容容器２内にゴミ受けカゴ３が設置されている。また、上端周面部１６は円周角で１８０°間隔をおいて外向きフランジ１７の直下に形成された一対のはめ込み孔１９を有する。２０は、ゴミ受けカゴ３に回動自在に設けた円弧状の把手で、前記孔１９，１９に把手２０の両端が嵌め込まれる。
【００１２】
以下この発明の特徴的構成について説明する。
２１は、上端周面部１６に上下に隣接した状態で形成した環状の凹凸部で、胴部本体１５の表面ｎ側から外側に向かって凹んで形成された環状の凹部２２と、この凹部２２から下方に隣接した状態で設けられ、胴部本体１５の表面ｎ側から胴部本体内側に突出して形成された環状の凸部２３とよりなる。この凹凸部２１は、胴部本体１５の上端に隣接した状態で位置している。そして、この凹凸部２１を介して、ゴミ受けカゴ３には薬剤２４を収容する複数の袋状の収容部２５を備えた合成樹脂製のリング体２６が保持されている。  
【００１３】
前記リング体２６は薄肉の上リング部材２７と薄肉の下リング部材２８を接合することにより形成されている。２９は、その接合面を示している。上リング部材２７は前記収容部２５に設けたカバー３０を有する（図４参照）。カバー３０は碗形状の外形を有する。下リング部材２８は前記凹凸部２１の凹部２２に係入可能な複数の水平突出片３１と、前記カバー３０とで収容部２５を形成する横断面ほぼＵ字形のトレイ３２とを有する。水平突出片３１は平面視円弧状で、下リング部材本体は、隣接する水平突出片３１同士が一組となり、これらの組がそれぞれ接続片３５で接続されて円周上に設けられている。カバー３０は収容部２５内に流入する排水の流入孔３３を複数有する。この流入孔３３はリング体２６の内側に向くよう形成されている。３４は、収容部２５内から流出する薬剤２４の溶解液の流出孔で、リング体２６の外側に向くよう形成されている。この流出孔３４は接続片３５と上リング部材２７のリング本体２７ａ間に形成される隙間よりなる。さらに、流入孔３３は流出孔３４よりも低い位置に設けられている。
【００１４】
前記薬剤２４は、ヌメリ除去作用および／または殺菌作用を有する水溶性の薬剤および／または生ゴミや下水からの異臭を消す消臭作用を有する水溶性の薬剤であって、さらに、この薬剤２４には銅のさびが発生するのを防止する成分（例えばベンゾトリアゾールやトリルトリアゾールあるいはメルカプトベンゾチアゾールなど）を含ませてある。
【００１５】
トレイ３２の本体は、碗形状の外形を有するが、リング体２６がゴミ受けカゴ３に保持されている状態において流出孔３４から流出する薬剤２４の溶解液をゴミ受けカゴ３の胴部本体１５の表面ｎに案内するよう流出孔３４の直下に板状で側面視ほぼ三角形の溶解液案内片３６がトレイ３２の本体から下向きに連設されている。この溶解液案内片３６は収容部２５から下方に突出しており、トレイ３２の流出孔３４直下の縦長部分３２ａの外辺Ｌを下方に延設してなる縦辺３７を有し、この縦辺３７の下端から内側に鋭角的に折れ曲がって形成された下辺３８を有する。そして、流出孔３４から流出した溶解液はトレイ３２の縦長部分３２ａの表面から外辺Ｌを介して下方に流れ、溶解液案内片３６に至るが、溶解液案内片３６の表面を伝わる溶解液が縦辺３７、下辺３８を介して胴部本体１５の表面ｎに至るような縦辺３７と表面ｎ間に形成される隙間Ｓの間隔Ａを形成するために、水平突出片３１の水平方向の長さが設定されている。なお、胴部本体１５の表面ｎの上部に胴部本体１５の内側から近接させた状態で溶解液案内片３６を設けたもの、すなわち、溶解液案内片３６と表面ｎ間に隙間Ｓがある場合を示したが、前記縦辺３７を介して溶解液案内片３６を胴部本体１５の内側に当接させた状態で設けてもよい。すなわち、この発明は、隙間Ｓのない（間隔Ａ＝０）場合も適用できる。
【００１６】
また、ゴミ受けカゴ３の上方からリング体２６をはめ込む場合は、外力により複数の突出片３１あるいはリング体２６自体を弾性的に内側に変形させ、その後変形力を解除することで突出片３１を凹部２２に係合させることでリング体２６をゴミ受けカゴ３の上端周面部１６に弾性的に嵌合保持させることができる。そして、凹部２２直下に隣接した状態で連設された凸部２３は突出片３１が凹部２２からずれ落ちないように突出片３１を保持する機能を有する。  
【００１７】
而して、流しの排水の一部は収容部２５内に流入して薬剤２４の一部を溶解させるとともに、収容部２５内から溶解液が直下のゴミ受けカゴ３に至りゴミ受けカゴ３の例えばヌメリを除去できるとともに、銅のさびが発生するのを防止できてゴミ受けカゴ３の抗菌機能を長持ちさせることができる。このとき、溶解液案内片３６の表面を伝わる溶解液は直接落下して底部１４に至るとともに、溶解液案内片３６から胴部本体１５の表面ｎに至ることから、確実に溶解液が上端周面部１６以外のメッシュ部分１５，１４に行き渡る。そして、一旦排水が無くなった状態では、すなわち、収容部２５内に排水が流入しなくなった状態では、先に収容部２５内に流入し溜まった排水によって薬剤２４の一部は溶解しており、流入孔３３は流出孔３４よりも低い位置に設けられているので、収容部２５内に排水が溜まっており、溶解液は飽和液になり易くなる。つまり、薬剤２４の溶解が安定する。この状態で排水があると、飽和溶解液を薄める形で、かつ、飽和溶解液に混じって溶解液が収容部２５から流出する。よって、ゴミ受けカゴ３の例えばヌメリを効果的に除去できるとともに、銅のさびが発生するのを防止できる。
【００１８】
図６は、この発明の第２の実施の形態を示す。なお、図６において、図１〜図５で用いた符号と同一のものは同一または相当物である。この実施の形態ではリング体２６をゴミ受けカゴ３に保持する手段が上記第１の実施の形態と相違している。
【００１９】
図６において、４０は胴部本体１５に形成した凹部で、胴部本体１５の表面ｎから胴部本体内側に凹んで形成されている。この凹部４０は、胴部本体１４の最上部に位置している。そして、この凹部４０を介して、ゴミ受けカゴ３には薬剤２４を収容する複数の収容部２５を備えたリング体２６が保持されている。上記第１の実施の形態の凹部２２とこの実施の形態の凹部４０との違いは、凹部４０の方が奥行きが長く設定されている点であり、そのため上記第１の実施の形態の凸部２３を不要にできる。
【００２０】
図７は、この発明の第３の実施の形態を示す。なお、図７において、図１〜図６で用いた符号と同一のものは同一または相当物である。この実施の形態ではリング体２６をゴミ受けカゴ３に保持する手段が上記第１，２の実施の形態と相違している。
【００２１】
図７において、４１はゴミ受けカゴ３の上端周面部１６に設けられ、水平突出片３１が挿入可能なスリットで、少なくとも円周角で１８０°間隔をおいて一対形成されている。そして、スリット４１の無い位置の水平突出片３１は、弾性的に変形した状態で上端周面部１６の下部分あるいは胴部本体１４の上部に当接している。
【００２２】
なお、上記各実施の形態では胴部本体１５の表面ｎの上部に胴部本体１５の内側から近接させた状態で溶解液案内片３６を設けたもの、すなわち、溶解液案内片３６と表面ｎ間に隙間Ｓがある場合を示したが、前記縦辺３７を介して溶解液案内片３６を胴部本体１５の内側に当接させた状態で設けてもよい。すなわち、この発明は、隙間Ｓのない（間隔Ａ＝０）場合も適用できる。
【００２３】
上記各実施の形態では、上下二部材２７，２８を接合することにより、トレイ３２とカバー３０で形成した収容部２５を示した。図８、図９は、リング体を一つの部材で形成したこの発明の第４の実施の形態を示し、図２をも参照して説明する。図８は、リング体の閉状態を示し、図９は、リング体の開状態を示している。なお、図８、図９において、図１〜図７で用いた符号と同一のものは同一または相当物である。
【００２４】
図８、図９において、４３は、ゴミ受けカゴ３の上端周面部１６に上下に隣接した状態で形成した環状の凹凸部２１（図２参照）を介して保持される合成樹脂製のリング体で、薬剤２４を収容する複数の収容部４４が設けられている。リング体４３は、上記各実施の形態で用いたような上下二部材２７，２８よりなるリング体２６ではなく、一つの部材で形成されている。リング体４３は、一つのリング部４５と複数の収容部４４よりなる。リング部４５は上記各実施の形態の上リング部材２７と下リング部材２８を接合したものに相当する。前記収容部４４の外形は上記各実施の形態で用いた収容部２５と同じ袋状に形成されている。そして、リング部４５の下面側に、複数の収容部４４が所定の間隔を有して設けられている。収容部４４は、ヒンジＰを介してそれぞれ碗形状の外形を有する上下二つの部分４６，４７からなる。上部分４６は下方開口４６ａを有し、リング部４５の下面内側からリング部４５の下方と内側に向かって横断面ほぼＵ字形の形状になるよう形成されており、収容部４４内に流入する排水の流入孔４８と収容部４４内から流出する薬剤２４の溶解液の流出孔４９を有する。上部分４６は、リング部４５下面とで流出孔４９を形成する凹所４６ｂを有する。４６ｃは凹所４６ｂを有する垂直片で、リング部４５の下面から下方に垂直状態に連設されている。また、流入孔４８および流出孔４９は、それぞれ、リング部径方向内側および外側に向くよう上部材４６に形成されるとともに、流入孔４８は流出孔４９よりも低い位置に設けられている。
【００２５】
一方、下部分４７は下方開口４７ａを有するとともに、各開口４７ａ，４７ａ同士を塞ぐように横断面ほぼＵ字形の形状をなし、上下二つの部分４６，４７のつなぎ目であるヒンジＰで枢支された状態で上部分４６に着脱自在に装着される。前記ヒンジＰは、収容部４４におけるリング部径方向内側の先端部分に形成されており、流入孔４８の直下に位置している。そして、図９に示したような収容部４４が開いた状態から、図８に示したような収容部４４が閉じた状態にするために、下部分４７は、リング部４５の外側に左右一対の係止爪５０，５０を有する一方、係止爪５０，５０が係合する一対の係合孔５１，５１をリング部４５は有する。係合孔５１，５１は円周方向に隣接してリング部４５に設けられている。４７ｂは、下部分４７の一部を構成し、図８に示す状態では垂直片４６ｃに外側から当接する垂直片で、下方開口４７ａにおけるリング部径方向外側の上端から上方に突出形成されている。そして、この垂直片４７ｂの先端に、図８に示す閉状態において流出孔４９に連通する切欠き（図示せず）を介して前記一対の係止爪５０，５０が対向配置されている。
【００２６】
また、前記リング部４５は、前記凹凸部２１の凹部２２（図２参照）に係入可能な複数の水平突出片５２を有する。水平突出片５２は上記各実施の形態で用いた水平突出片３１と同じ構成のものである。
【００２７】
前記薬剤２４は、ヌメリ除去作用および／または殺菌作用を有する水溶性の薬剤および／または生ゴミや下水からの異臭を消す消臭作用を有する水溶性の薬剤であって、さらに、この薬剤２４には銅のさびが発生するのを防止する成分（例えばベンゾトリアゾールやトリルトリアゾールあるいはメルカプトベンゾチアゾールなど）を含ませてある。
【００２８】
さらに、前記下部分４７は、リング体４３がゴミ受けカゴ３に保持されている状態において流出孔４９から流出する薬剤２４の溶解液をゴミ受けカゴ３の胴部本体１５の表面ｎ（図２参照）に案内するよう流出孔４９の直下に板状で側面視ほぼ三角形の溶解液案内片５３を有する。この溶解液案内片５３は、垂直片４７ｂの外側垂直辺Ｔから下方に延設された垂直辺Ｗを有し、この垂直辺Ｗの下端からリング部４５の内側に鋭角的に折れ曲がって形成された下辺Ｒを有する。そして、溶解液案内片５３は、胴部本体１５の表面ｎの上部に胴部本体１５の内側から近接させた状態で設けられている。そして、流出孔４９から流出した溶解液は前記切欠きを通って外側垂直辺Ｔを下方に流れ、溶解液案内片５３に至る。ここで、溶解液案内片５３の表面を伝わる溶解液が垂直辺Ｗ、下辺Ｒを介して胴部本体１５の表面ｎに至るよう垂直辺Ｗと表面ｎ間に形成される隙間の間隔が設定されている。この間隔は水平突出片５２の水平方向の長さを適宜に設定することにより調整可能である。なお、この実施の形態では、胴部本体１５の表面ｎの上部に胴部本体１５の内側から近接させた状態で溶解液案内片５３を設けたもの、すなわち、溶解液案内片３６と表面ｎ間に隙間Ｓ（図２参照）がある場合を示したが、垂直辺Ｗを介して溶解液案内片５３を胴部本体１５の内側に当接させた状態で設けてもよい。
【００２９】
また、ゴミ受けカゴ３の上方からリング体４３をはめ込む場合は、外力により複数の突出片５２あるいはリング体４３自体を弾性的に内側に変形させ、その後変形力を解除することで突出片５２を凹部２２に係合させることにより、リング体４３をゴミ受けカゴ３の上端周面部１６に弾性的に嵌合保持させることができる。そして、凸部２３は突出片５２が凹部２２からずれ落ちないように突出片５２を保持する機能を有する。  
【００３０】
以上、この実施の形態では、リング体４３を一つの部材で形成し、下部分４７を上部分４６から取り外すだけの容易な作業で薬剤２４を交換することができ、使用勝手がよい。
【図面の簡単な説明】
【００３１】
【図１】この発明の第１の実施の形態におけるリング体の使用状態を示す構成説明図である。
【図２】上記実施の形態におけるリング体の取り付け状態を示す構成説明図である。
【図３】上記実施の形態におけるリング体の背面図である。
【図４】上記実施の形態におけるリング体の正面図である。
【図５】上記実施の形態におけるリング体装着前の状態を示す図である。
【図６】この発明の第２の実施の形態におけるリング体の取り付け状態を示す構成説明図である。
【図７】この発明の第３の実施の形態におけるリング体の取り付け状態を示す構成説明図である。
【図８】この発明の第４の実施の形態で用いるリング体の閉状態を示す構成説明図である。
【図９】上記第４の実施の形態におけるリング体の開状態を示す構成説明図である。
【図１０】ゴミ受けカゴ収容容器の設置状態を示す構成説明図である。
【図１１】菊割れフタの設置状態を示す斜視図である。
【符号の説明】
【００３２】
１          流し
１ａ        排水口  
３          ゴミ受けカゴ
２４        薬剤
２５，４４  収容部
２６，４３  リング体  
【図１】
2006132305.tif 000003
【図２】
2006132305.tif 000004
【図３】
2006132305.tif 000005
【図４】
2006132305.tif 000006
【図５】
2006132305.tif 000007
【図６】
2006132305.tif 000008
【図７】
2006132305.tif 000009
【図８】
2006132305.tif 000010
【図９】
2006132305.tif 000011
【図１０】
2006132305.tif 000012
【図１１】
2006132305.tif 000013